(57)【要約】【課題】生体を圧迫するカフを有し、血圧と脈波を精度良く測定できるとともに、上記カフを装着した状態で被験者に痛みや不快感が生じるのを防止できる血圧情報測定装置を提供すること。【解決手段】この血圧情報測定装置は、被験者の手首に装着され、手首から血圧および脈拍数を測定する。上記血圧情報測定装置は、カフ２０と、このカフ２０が上記手首に巻き付けられた装着状態にあるとき、カフ２０に対して上記手首と反対側に位置するように取り付けられた本体１０とを備えている。また、上記血圧情報測定装置は、本体１０に対して上記手首に対向する側の面の略中央に取り付けられた脈波センサ４１を備えている。上記カフ２０は、脈波センサ４１に対応する位置に円形の貫通穴２０ａを有する。この貫通穴２０ａは、脈波センサ４１が直接、上記手首の脈波を検出するのを許容する。【選択図】図２Ａ
0003175948.tif 000002
【実用新案登録請求の範囲】
【請求項１】
被測定部位を圧迫するための流体袋を内包する血圧測定用カフと、
上記血圧測定用カフが上記被測定部位に巻き付けられた装着状態にあるとき、上記血圧測定用カフに対して上記被測定部位と反対側に位置するように取り付けられた本体と、
上記本体の上記被測定部位に対向する側に取り付けられ、または上記血圧測定用カフの上記本体に対応する部分に内包され、上記被測定部位の脈波を検出する脈波センサと
を備え、
上記血圧測定用カフは、上記脈波センサに対応する位置に、上記脈波センサの寸法に応じた大きさの穴を有して、上記脈波センサが直接、または上記流体袋を介して、上記被測定部位の脈波を検出するのを許容することを特徴とする血圧情報測定装置。
【請求項２】
請求項１に記載の血圧情報測定装置において、
上記脈波センサは、上記本体に対して上記被測定部位に対向する側に取り付けられ、
上記穴は、上記血圧測定用カフを貫通する貫通穴であり、
上記流体袋は、上記血圧測定用カフのうち上記貫通穴から離れた部分に内包されていることを特徴とする血圧情報測定装置。
【請求項３】
請求項２に記載の血圧情報測定装置において、
上記装着状態で、上記血圧測定用カフの上記被測定部位側の面と上記脈波センサの上記被測定部位側の面とが、同一面を形成していることを特徴とする血圧情報測定装置。
【請求項４】
請求項２または３に記載の血圧情報測定装置において、
上記脈波センサは、上記穴を通って上記脈波センサを上記被測定部位に付勢する付勢部材を介して、上記本体に取り付けられていることを特徴とする血圧情報測定装置。
【請求項５】
請求項１に記載の血圧情報測定装置において、
上記血圧測定用カフは、上記装着状態で上記流体袋を内包するように、上記流体袋に対して上記被測定部位側に位置する内周部と、上記被測定部位と反対側に位置する外周部とを有し、
上記穴は、上記内周部を貫通する貫通穴であり、
上記脈波センサは、上記血圧測定用カフに内包されるとともに上記流体袋と上記外周部との間に位置し、
上記流体袋は、光を透過させる光透過材料からなることを特徴とする血圧情報測定装置。
【請求項６】
請求項１に記載の血圧情報測定装置において、
上記血圧測定用カフは、上記装着状態で上記流体袋を内包するように、上記流体袋に対して上記被測定部位側に位置する内周部と、上記被測定部位と反対側に位置する外周部とを有し、
上記穴は、上記内周部を貫通する貫通穴であり、
上記脈波センサは、上記流体袋の内部に位置し、
上記流体袋は、光を透過させる光透過材料からなることを特徴とする血圧情報測定装置。
【請求項７】
請求項１から６までのいずれか１つに記載の血圧情報測定装置において、
上記脈波センサは、上記被測定部位に向けて光を照射する発光部と、上記被測定部位からの反射光を受光し、受光した光の光量に応じた出力信号を出力する受光部とを含む光電センサで構成されていることを特徴とする血圧情報測定装置。
【請求項８】
請求項１から４までのいずれか１つに記載の血圧情報測定装置において、
上記脈波センサは、上記被測定部位のインピーダンスを検出するための複数の電極を含むインピーダンスセンサで構成されていることを特徴とする血圧情報測定装置。
【考案の詳細な説明】
【技術分野】
【０００１】
この考案は、生体を圧迫するカフを有して血圧を測定するとともに、生体から脈波を検出する脈波センサを備える血圧情報測定装置に関する。
【背景技術】
【０００２】
従来、この種の血圧情報測定装置としては、例えば特開平６−３１１９７２号公報（特許文献１）に記載されたものがある。この血圧情報測定装置は、先端部に加圧バッグを取り付けた加圧体と、発光素子および受光素子を有し加圧バッグと加圧体との間に位置する脈波センサと、加圧バッグ内の圧力を検出する圧力センサとを備えている。そして、被験者の血圧を測定するとき、加圧バッグを被測定部位に押圧して、加圧バッグの圧力を圧力センサによって圧力信号として検出する。また、脈波センサの発光素子から被測定部位に加圧バッグ越しに照射した光が、被験者の体内の血管により反射され、この反射光を受光素子によって脈波信号として検出する。そして、上記血圧情報測定装置は、検出した圧力信号および脈波信号によって、血圧の測定を行う。
【先行技術文献】
【特許文献】
【０００３】
【特許文献１】特開平６−３１１９７２号公報
【考案の概要】
【考案が解決しようとする課題】
【０００４】
しかし、上記従来の血圧情報測定装置では、脈波センサの発光素子から加圧バッグを介して被験者の被測定部位に対して光を照射するので、樹脂等の光透過性のある薄膜などで構成した加圧バッグを直接被測定部位に接触させる必要がある。したがって、カフを被験者が装着する場合には、加圧バッグと上記被測定部位との接触面が汗などで蒸れて被験者に不快感を与えてしまうという問題がある。また、加圧バッグを布などで構成して上記接触面の蒸れを防止しようとすると、加圧バッグの光透過性が低下し、脈波測定の精度が著しく低下してしまうという問題がある。
【０００５】
また、上記加圧バッグに対して被測定部位側に脈波センサを配置した場合、加圧バッグにより被験者の被測定部位を圧迫すると、硬い材質で構成される脈波センサを被測定部位に圧迫することとなり、被験者に痛みや不快感が生じてしまうという問題がある。
【０００６】
そこで、この考案の課題は、生体を圧迫するカフを有し、血圧と脈波を精度良く測定できるとともに、上記カフを装着した状態で被験者に痛みや不快感が生じるのを防止できる血圧情報測定装置を提供することにある。
【課題を解決するための手段】
【０００７】
この考案の血圧情報測定装置は、
被測定部位を圧迫するための流体袋を内包する血圧測定用カフと、
上記血圧測定用カフが上記被測定部位に巻き付けられた装着状態にあるとき、上記血圧測定用カフに対して上記被測定部位と反対側に位置するように取り付けられた本体と、
上記本体の上記被測定部位に対向する側に取り付けられ、または上記血圧測定用カフの上記本体に対応する部分に内包され、上記被測定部位の脈波を検出する脈波センサと
を備え、
上記血圧測定用カフは、上記脈波センサに対応する位置に、上記脈波センサの寸法に応じた大きさの穴を有して、上記脈波センサが直接、または上記流体袋を介して、上記被測定部位の脈波を検出するのを許容することを特徴とする。
【０００８】
本明細書で、「本体」とは、血圧情報測定装置の本体を意味する。本体には、例えば、上記流体袋に流体を供給して加圧するためのポンプや、圧力センサ、信号処理を行う制御部、測定結果を表示する表示器などが搭載される。
【０００９】
この考案の血圧情報測定装置では、上記流体袋を内包する上記血圧測定用カフが被験者の上記被測定部位に巻き付けられた装着状態で、上記カフの圧力を検出することによって血圧を測定できる。また、上記装着状態で、上記脈波センサは、上記本体の上記被測定部位に対向する側に取り付けられ、または上記カフの上記本体に対応する部分に内包され、上記カフの上記穴を通して直接、または、上記流体袋を介して上記被測定部位の脈波を検出する。したがって、上記脈波センサは、上記穴を通して直接上記被測定部位の脈波を検出する場合、精度良く被験者の脈波を測定できる。また、上記脈波センサは、上記流体袋を介して上記被測定部位の脈波を検出する場合も、上記流体袋を光を透過させる光透過性の材料で構成することによって、上記流体袋を布で構成する場合に比して、精度良く被験者の脈波を測定できる。上記穴は、上記脈波センサの寸法に応じた大きさを有しているので、上記脈波センサや上記流体袋が上記被測定部位に接触しうる面積を必要最小限にできる。これにより、血圧を測定するとき、上記流体袋が膨張して、硬い材質で構成される上記脈波センサが被験者の被測定部位を圧迫することによる被験者に生じる痛みや不快感を低減できる。また、上記装着状態で上記脈波センサや上記流体袋が上記被測定部位に接触し続けて蒸れが生じることによる被験者の不快感を低減できる。さらにまた、上記カフを例えば布などの吸湿効果や速乾効果がある材料で構成した場合、上記装着状態で上記被測定部位に蒸れが生じることによる被験者の不快感を低減できる。このように、この血圧情報測定装置によれば、血圧と脈波とを精度良く測定できるとともに、上記装着状態で被験者に痛みや不快感が生じるのを防止できる。
【００１０】
また、一実施形態の血圧情報測定装置では、上記脈波センサは、上記本体に対して上記被測定部位に対向する側に取り付けられ、上記穴は、上記血圧測定用カフを貫通する貫通穴であり、上記流体袋は、上記血圧測定用カフのうち上記貫通穴から離れた部分に内包されていることを特徴とする。
【００１１】
この一実施形態の血圧情報測定装置では、上記脈波センサは、上記本体に対して上記被測定部位に対向する側に取り付けられ、上記血圧測定用カフを貫通する貫通穴を通して直接上記被測定部位の脈波を検出するので、精度良く被験者の脈波を測定できる。また、血圧情報を測定するときに上記流体袋が膨張して、上記脈波センサと上記被測定部位との間に空間ができるので、上記脈波センサが上記被測定部位を圧迫することはない。したがって、被験者に痛みや不快感が生じるのを確実に防止できる。
【００１２】
また、一実施形態の血圧情報測定装置では、上記装着状態で、上記血圧測定用カフの上記被測定部位側の面と上記脈波センサの上記被測定部位側の面とが、同一面を形成していることを特徴とする。
【００１３】
この一実施形態の血圧情報測定装置では、上記装着状態で、上記カフの上記被測定部位側の面と上記脈波センサの上記被測定部位側の面とが、同一面を形成しているので、上記脈波センサが上記被測定部位に食い込むことがない。したがって、被験者に痛みや不快感が生じるのを確実に防止できる。
【００１４】
また、一実施形態の血圧情報測定装置では、上記脈波センサは、上記穴を通って上記脈波センサを上記被測定部位に付勢する付勢部材を介して、上記本体に取り付けられていることを特徴とする。
【００１５】
この一実施形態の血圧情報測定装置では、上記脈波センサは、上記付勢部材によって上記穴を通って上記被測定部位に付勢されるので、上記被測定部位に確実に接触できて、精度良く被験者の脈波を測定できる。
【００１６】
また、一実施形態の血圧情報測定装置では、
上記血圧測定用カフは、上記装着状態で上記流体袋を内包するように、上記流体袋に対して上記被測定部位側に位置する内周部と、上記被測定部位と反対側に位置する外周部とを有し、
上記穴は、上記内周部を貫通する貫通穴であり、
上記脈波センサは、上記血圧測定用カフに内包されるとともに上記流体袋と上記外周部との間に位置し、
上記流体袋は、光を透過させる光透過材料からなることを特徴とする。
【００１７】
この一実施形態の血圧情報測定装置では、上記脈波センサは、上記カフに内包されるとともに上記流体袋と上記外周部との間に位置するので、上記被測定部位に直接接触することがなく、被験者に痛みや不快感が生じるのを防止できる。また、上記流体袋は、樹脂等の光透過性のある材料からなるので、上記脈波センサは、精度良く被験者の脈波を測定できる。
【００１８】
また、一実施形態の血圧情報測定装置では、
上記血圧測定用カフは、上記装着状態で上記流体袋を内包するように、上記流体袋に対して上記被測定部位側に位置する内周部と、上記被測定部位と反対側に位置する外周部とを有し、
上記穴は、上記内周部を貫通する貫通穴であり、
上記脈波センサは、上記流体袋の内部に位置し、
上記流体袋は、光を透過させる光透過材料からなることを特徴とする。
【００１９】
この一実施形態の血圧情報測定装置では、上記脈波センサは、上記カフに内包されるとともに上記流体袋の内部に位置するので、上記被測定部位に直接接触することがなく、被験者に痛みや不快感が生じるのを防止できる。また、上記流体袋は、樹脂等の光透過性のある材料からなるので、上記脈波センサは、精度良く被験者の脈波を測定できる。
【００２０】
また、一実施形態の血圧情報測定装置では、上記脈波センサは、上記被測定部位に向けて光を照射する発光部と、上記被測定部位からの反射光を受光する受光部とを含み、受光した光の光量に応じた出力信号を出力する光電センサで構成されていることを特徴とする。
【００２１】
この一実施形態の血圧情報測定装置では、上記脈波センサは、上記被測定部位に向けて光を照射する発光部と、上記被測定部位からの反射光を受光し、受光した光の光量に応じた出力信号を出力する受光部とを含む光電センサで構成されている。したがって、上記脈波センサは、非接触で迅速に精度良く被験者の脈波を測定できる。
【００２２】
また、一実施形態の血圧情報測定装置では、上記脈波センサは、上記被測定部位のインピーダンスを検出するための複数の電極を含むインピーダンスセンサで構成されていることを特徴とする。
【００２３】
この一実施形態の血圧情報測定装置では、上記脈波センサは、上記被測定部位のインピーダンスを検出するための複数の電極を含むインピーダンスセンサで構成されている。したがって、上記脈波センサは、上記被測定部位に接触させることで簡単に精度良く被験者の脈波を測定できる。
【考案の効果】
【００２４】
以上より明らかなように、この考案の血圧情報測定装置によれば、血圧と脈波を精度良く測定できるとともに、装着状態で被験者に痛みや不快感が生じるのを防止できる。
【図面の簡単な説明】
【００２５】
【図１】この考案の一実施形態の血圧情報測定装置の透明斜視図を示す図である。
【図２Ａ】上記血圧情報測定装置の本体を被測定部位側から見た状態を説明する図である。
【図２Ｂ】図２ＡのＡ−Ａ断面図である。
【図３】上記血圧情報測定装置の構成を示すブロック図である。
【図４】上記血圧情報測定装置の制御部の動作を説明するためのフローチャートである。
【図５】上記血圧情報測定装置の制御部による血圧測定動作を説明するためのフローチャートである。
【図６】上記血圧情報測定装置の制御部による脈拍測定動作を説明するためのフローチャートである。
【図７Ａ】カフに貫通穴を設けず、カフを本体の側面に取り付けた場合にカフが被測定部位に装着された状態を説明する図である。
【図７Ｂ】図２Ａ，図２Ｂ中に示したカフが被測定部位に装着された状態を説明する図である。
【図７Ｃ】図７Ｂにおいて流体袋が加圧された状態を説明する図である。
【図８Ａ】上記血圧情報測定装置の変形例を示す図である。
【図８Ｂ】図８ＡのＢ−Ｂ断面図である。
【図９】上記血圧情報測定装置の別の変形例を説明する図である。
【図１０】上記血圧情報測定装置のさらに別の変形例を説明する図である。
【図１１】上記血圧情報測定装置のさらに別の変形例を説明する図である。
【考案を実施するための形態】
【００２６】
以下、この考案の実施の形態を、図面を参照しながら詳細に説明する。
【００２７】
図１は、本実施の形態の血圧情報測定装置の概略構成を透明斜視図により示している。
【００２８】
この実施形態の血圧情報測定装置は、被測定部位としての被験者の手首に装着され、手首から血圧および脈拍数を測定するものである。上記血圧情報測定装置は、図１に示すように、血圧測定用カフとしてのカフ２０と、このカフ２０が上記手首に巻き付けられた装着状態にあるとき、カフ２０に対して上記手首と反対側に位置するように取り付けられた本体１０とを備えている。本体１０は、カフ２０に対して接着剤で貼付されて取り付けられている。
【００２９】
上記カフ２０は、手首を圧迫するための流体袋２２と、この流体袋２２を内包する帯状袋２１とを有している。この帯状袋２１は、流体袋２２に対して上記手首側に位置する内周部としての内布２１１と、流体袋２２に対して上記手首と反対側に位置する外周部としての外布２１２とを有する。上記内布２１１と外布２１２とには、面ファスナ２１３が設けられ、この面ファスナ２１３により、上記装着状態を固定して保持することができる。
【００３０】
図２Ａは、上記血圧情報測定装置を手首側から見た状態を説明する図である。また、図２Ｂは、図２ＡのＡ−Ａ断面図である。
【００３１】
図２Ａおよび図２Ｂに示すように、上記血圧情報測定装置は、本体１０に対して上記手首に対向する側の面の略中央に取り付けられた脈波センサ４１を備えている。この脈波センサ４１は、本体１０から手首側に先細形状で突出する円錐台状であって、この例では、手首側の面４１ａの直径は１０ｍｍの大きさを有する。
【００３２】
上記帯状袋２１は、布で構成され、脈波センサ４１に対応する位置に円形の貫通穴２０ａを有する。この貫通穴２０ａは、脈波センサ４１が直接、上記手首の脈波を検出するのを許容する。また、貫通穴２０ａは、脈波センサ４１の面４１ａの直径寸法に応じた大きさ、具体的には直径１０ｍｍの大きさを有する。上記脈波センサ４１は、貫通穴２０ａに嵌合し、脈波センサ４１の面４１ａと帯状袋２１の内布２１１の内面とは、同一の曲面を形成している。
【００３３】
上記流体袋２２は、全体として、長手方向（手首周囲方向）に１７０ｍｍ、幅方向（手首長方向）に４５ｍｍの大きさを有する。上記流体袋２２は、カフ２０のうち貫通穴２０ａから離れた部分に内包されている。この例では、貫通穴２０ａが設けられている領域を境にして、２つの流体袋２２，２２に分離して設けられている。
【００３４】
また、上記脈波センサ４１は、脈波を検出するため、上記手首中に延在する動脈に向けて光を照射する発光部としての発光素子４１１と、上記手首中に延在する動脈の反射光を受光し、受光した光の光量に応じた出力信号を出力する受光部としての受光素子４１２とを含む光電センサで構成されている。
【００３５】
上記発光素子４１１および上記受光素子４１２は、脈波センサ４１の略中央部に一定の距離をおいて並列に配置され、上記装着状態で上記手首に対向するように露出している。ここで、発光素子４１１は、例えば、ＬＥＤ（Light Emitting Diode）から構成されている。また、受光素子４１２は、例えば、ＰＤ（Photo Diode）から構成されている。
【００３６】
ここで、脈波を精度良く検出するためには、生体組織を透過し易い近赤外光を検出光として利用することが好ましく、発光素子４１１および受光素子４１２としては、この近赤外光を照射および受光可能なものがそれぞれ好適に利用される。より具体的には、発光素子４１１から照射されて受光素子４１２にて受光される検出光としては、波長９４０ｎｍ付近の近赤外光が特に好適に使用される。なお、検出光としては、上記９４０ｎｍ付近の近赤外光に限られず、波長４５０ｎｍ付近の光や波長１１００ｎｍ付近の光等も使用可能である。
【００３７】
なお、上記脈波センサ４１は、脈波、すなわち動脈の容積変化が検出できるものであればよく、インピーダンスセンサ（インピーダンスプレスチモグラフ）により動脈の容積変化を検出するものであってもよい。このとき、発光素子４１１および受光素子４１２に代えて、動脈を含む部位のインピーダンスを検出するための複数の電極（電流印加用の電極対、および、電圧検知用の電極対）が含まれる。このように、脈波センサ４１は、複数の電極を含むインピーダンスセンサなので、手首に接触させることで簡単に精度良く被験者の脈波を測定できる。
【００３８】
図３に示すように、上記血圧情報測定装置の本体１０は、この本体１０に搭載された、制御部としてのＣＰＵ（Central Processing Unit）１００、表示器５０、メモリ５１、操作部５２、電源部５３、ポンプ３２、弁３３、および圧力センサ３１を含む。また、本体１０は、この本体１０に搭載された、圧力センサ３１からの出力を周波数に変換する発振回路３１０、ポンプ３２を駆動するポンプ駆動回路３２０、弁３３を駆動する弁駆動回路３３０、および脈波センサ４１を制御して脈波を検出する脈波検出回路４１０を有する。
【００３９】
上記表示器５０は、ディスプレイおよびインジケータ等を含み、ＣＰＵ１００からの制御信号に従って所定の情報を表示する。
【００４０】
上記操作部５２は、電源部５３をＯＮまたはＯＦＦするための指示の入力を受付ける電源スイッチ５２Ａと、血圧の測定開始の指示を受け付けるための血圧測定スイッチ５２Ｂとを有する。上記電源スイッチ５２Ａおよび血圧測定スイッチ５２Ｂは、操作者による指示に応じた操作信号をＣＰＵ１００に入力する。
【００４１】
上記メモリ５１は、上記血圧情報測定装置を制御するためのプログラムのデータ、上記血圧情報測定装置を制御するために用いられるデータ、上記血圧情報測定装置の各種機能を設定するための設定データ、および血圧値や脈拍数の測定結果のデータなどを記憶する。また、メモリ５１は、プログラムが実行されるときのワークメモリなどとして用いられる。
【００４２】
上記ＣＰＵ１００は、メモリ５１に記憶された上記血圧情報測定装置を制御するためのプログラムに従って、操作部５１からの操作信号に応じて、ポンプ３２や弁３３、脈波センサ４１を駆動する制御を行う。また、ＣＰＵ１００は、圧力センサ３１および脈波センサ４１からの信号に基づいて、血圧値や脈拍数を算出し、表示部５０およびメモリ５１を制御する。
【００４３】
上記電源部５３は、ＣＰＵ１００、圧力センサ３１、ポンプ３２、弁３３、脈波センサ４１、表示器５０、メモリ５１、発振回路３１０、ポンプ駆動回路３２０、弁駆動回路３３０および脈波検出回路４１０の各部に電力を供給する。
【００４４】
上記ポンプ３２は、流体袋２２内の圧力（カフ圧）を加圧するために、流体袋２２に空気を供給する。弁３３は、流体袋２２の空気を排出し、または封入してカフ圧を制御するために開閉される。ポンプ駆動回路３２０は、ポンプ３２の駆動をＣＰＵ１００から与えられる制御信号に基づいて制御する。弁駆動回路３３０は、弁３３の開閉制御をＣＰＵ１００から与えられる制御信号に基づいて制御する。
【００４５】
上記圧力センサ３１は、例えば、ピアゾ抵抗式圧力センサであり、カフ用エアチューブ３９を介して、ポンプ３２、弁３３およびカフ２０に内包されている流体袋２２に接続されている。発振回路３１０は、圧力センサ３１からのビアゾ抵抗効果による電気抵抗の変化に基づく電気信号値に基づき発振して、圧力センサ３１の電気信号値に応じた周波数を有する周波数信号をＣＰＵ１００に出力する。
【００４６】
上記脈波検出回路４１０は、脈波センサ４１とＣＰＵ１００とに接続されている。脈波検出回路４１０は、ＣＰＵ１００からの制御信号に基づいて脈波センサ４１の発光素子４１１を駆動させる発光素子駆動回路（図示しない）と、受光素子４１２からの出力信号に基づいて電圧信号を生成する受光量検出回路（図示しない）とを有する。
【００４７】
上記発光素子駆動回路は、ＣＰＵ１００からの制御信号に基づいて所定量の電流を発光素子４１１に印加することにより、発光素子４１１を発光させるものである。発光素子４１１に印加される電流としては、例えば、５０ｍＡ程度の直流電流が使用される。上記発光素子駆動回路としては、好適には、発光素子４１１に所定のデューティでパルス電流を供給することによって発光素子４１１を周期的にパルス発光させる回路が利用される。このように発光素子４１１をパルス発光させることとすれば、発光素子４１１への単位時間当たりの印加電力を抑制することが可能になり、発光素子４１１の温度上昇を防ぐことが可能になる。
【００４８】
上記受光量検出回路は、たとえばアナログフィルタ回路、整流回路、増幅回路、Ａ／Ｄ（Analog/Digital）変換回路等の処理回路を含んでおり、アナログ値として受光素子４１２から入力された上記出力信号をデジタル値化した電圧信号としてＣＰＵ１００に向けて出力する。
【００４９】
血圧および脈拍数の測定は、上記血圧情報測定装置のＣＰＵ１００によって、図４のフローに従って行われる。
【００５０】
本実施形態での血圧の測定方法の説明に先立ち、一般的なオシロメトリック法による血圧測定の原理について説明する。
【００５１】
一般的なオシロメトリック法に従って血圧を測定する場合、次のような動作が行なわれる。すなわち、被験者の測定部位に予めカフを巻き付けておき、測定時には、ポンプ・弁を制御して、カフ圧を最高血圧より高く加圧し、その後徐々に減圧していく。この減圧する過程において、測定部位の動脈で発生する動脈容積の変動をカフを介して、圧力センサで脈波信号として検出する。その時のカフ圧と検出した動脈容積の変動の大きさ（脈波信号の振幅）を利用して最高血圧（収縮期血圧：Systolic Blood Pressure）と最低血圧（拡張期血圧：Diastolic Blood Pressure）とを算出することにより、血圧が測定される。
【００５２】
具体的には、まず、この例では被験者が上記血圧情報測定装置の電源スイッチ５２ＡをＯＮにして動作状態にさせる（ステップＳＴ１）。すると、ＣＰＵ１００は、処理用メモリ領域を初期化し、弁駆動回路３３０に制御信号を出力する。弁駆動回路３３０は、制御信号に基づいて、弁３３を開放してカフ２０の流体袋２２内の空気を排気する。続いて、圧力センサ３１の０ｍｍＨｇの調整を行う制御を行う（ステップＳＴ２）。
【００５３】
次に、被験者は、カフ２０を被験者の手首に巻き付けて装着する。カフ２０を巻き付けた後、被験者が血圧測定スイッチ５２Ｂを押した場合（ステップＳＴ３でＹＥＳ）、ＣＰＵ１００は、上記オシロメトリック法に従って血圧の測定を開始する制御を行う（ステップＳＴ４）。
【００５４】
血圧測定において、まず、ＣＰＵ１００は、弁駆動回路３３０を介して弁３３を閉鎖し、その後、ポンプ駆動回路３２０を介してポンプ３２を駆動して、流体袋２２に空気を送る制御を行う。これにより、流体袋２２を膨張させるとともにカフ圧を徐々に加圧していく（ステップＳＴ１０１）。
【００５５】
ここで、仮に図７Ａに示すように、カフ２０に貫通穴２０ａを設けず、カフ２０を本体１０の側面に取り付けた場合、本体１０と脈波センサ４１とが手首９０に接触する。そして、流体袋２２が膨張するとき、硬い材質で構成される脈波センサ４１は、手首９０に食い込んで、カフ２０よりも大きな力で手首９０を圧迫する。
【００５６】
一方、図７Ｂに示すように、カフ２０に貫通穴２０ａを設けた場合（図２Ａ，図２Ｂの構成例）、帯状袋２１の内布２１１とともに脈波センサ４１が貫通穴２０ａを介して被測定部位としての手首９０に接触する。このため、貫通穴２０ａによって、脈波センサ４１が手首９０に接触しうる面積を必要最小限にできる。
【００５７】
また、カフ２０の帯状袋２１の内布２１１と脈波センサ４１の手首９０側の面４１ａとが、同一曲面を形成する。このため、脈波センサ４１が手首９０に食い込むことがなく、脈波センサ４１とカフ２０とが均等に手首９０を圧迫して、被験者に痛みや不快感が生じるのを確実に防止できる。
【００５８】
そして、図７Ｃに示すように、流体袋２２が膨張すると、脈波センサ４１と手首９０との間に空間ができるので、脈波センサ４１が手首９０を圧迫することはない。したがって、被験者に痛みや不快感が生じるのを確実に防止できる。また、上記装着状態で脈波センサ４１が手首９０に接触し続けて蒸れが生じることによる被験者の不快感を低減できる。さらにまた、帯状袋２１は布で構成されているので、布の吸湿効果や速乾効果によって上記装着状態で手首９０に生じる蒸れを低減して、被験者の不快感を低減できる。
【００５９】
カフ圧が加圧されて所定の圧力に達すると（ステップＳＴ１０２でＹＥＳ）、ＣＰＵ１００は、ポンプ駆動回路３２０を介してポンプ３２を停止し、その後、弁駆動回路３３０を介して弁３３を徐々に開放する制御を行う。これにより、流体袋２２を収縮させるとともにカフ圧を徐々に減圧していく（ステップＳＴ１０３）。
【００６０】
ここで、所定の圧力とは、収縮期血圧よりも十分高い圧力（例えば、収縮期血圧＋３０ｍｍＨｇ）であり、予めメモリ５１に記憶されているか、カフ圧の加圧中にＣＰＵ１００が収縮期血圧を所定の算出式により推定して決定する。
【００６１】
上記減圧過程において、圧力センサ３１が手首の動脈で発生する容積変化をカフ２０を介して圧脈波信号として検出する。ＣＰＵ１００は、この圧脈波信号に基づいて、オシロメトリック法による所定のアルゴリズムを適用して血圧値を算出する（ステップＳＴ１０４）。なお、血圧の算出は、減圧過程に限らず、加圧過程において行われてもよい。
【００６２】
血圧値を算出して決定すると（ステップＳＴ１０５でＹＥＳ）、ＣＰＵ１００は、算出した血圧値を表示器５０へ表示し（ステップＳＴ１０６）、血圧値をメモリ５１へ保存する制御を行う（ステップＳＴ１０７）。
【００６３】
次に、ＣＰＵ１００は、弁駆動回路３３０を介して弁３３を開放し、カフ２０の流体袋２２内の空気を排気する制御を行う（ステップＳＴ１０８）。
【００６４】
次に、ＣＰＵ１００は、上記電源スイッチ５２Ａが押されなければ（ステップＳＴ５でＮＯ）、ステップＳＴ３に戻り、上記電源スイッチ５２Ａが押されると、測定を終了する。
【００６５】
一方、被験者が血圧測定スイッチ５２Ｂを押さなかった場合（ステップＳＴ３でＮＯ）、ＣＰＵ１００は、脈拍測定を開始する制御を行う（ステップＳＴ６）。
【００６６】
脈拍測定において、まず、ＣＰＵ１００は、脈波検出回路４１０の発光素子駆動回路を介して発光素子４１１を駆動させ、発光素子４１１を発光させる制御を行う（ステップＳＴ２０１）。なお、発光素子４１１の駆動周波数としては、検出すべき動脈の容積の変動に含まれる周波数成分（おおよそ３０Ｈｚ）よりも十分に高い周波数（たとえば３ｋＨｚ程度）とすることにより、より精緻に動脈の容積の変動を検出できる。
【００６７】
発光素子４１１から上記手首中に延在する動脈に照射された光は、動脈によって反射され、この反射光を受光素子４１２が受光し、受光した光の光量に応じた出力信号を出力する。上記受光量検出回路は、受光素子４１２からの出力信号に基づいて電圧信号を生成し、ＣＰＵ１００へ出力する。ＣＰＵ１００は、この電圧信号に基づいて、所定のアルゴリズムを適用して脈拍数を算出し（ステップＳＴ２０２）、算出した脈拍数をメモリ５１に記憶する制御を行う（ステップＳＴ２０３）。
【００６８】
次に、ＣＰＵ１００は、脈拍数算出動作時間を測るタイマーカウントを増加させる制御を行う（ステップＳＴ７）。ＣＰＵ１００は、脈波が検出されて、脈拍があると判断すると（ステップＳＴ８でＹＥＳ）、タイマーカウンタをリセットする制御を行う（ステップＳＴ９）。
【００６９】
次に、ＣＰＵ１００は、上記電源スイッチ５２Ａが押されなければ（ステップＳＴ５でＮＯ）、ステップＳＴ３に戻り、上記電源スイッチ５２Ａが押されると、測定を終了する。
【００７０】
一方、ＣＰＵ１００は、脈波が検出されなければ、脈拍がないと判断し（ステップＳＴ８でＮＯ）、さらに、２分以上継続して脈波が検出されない場合（ステップＳＴ１０でＮＯ）、表示器５０に異常を表示させる制御を行う（ステップＳＴ１１）。次に、ＣＰＵ１００は、メモリ５１に異常である旨を示すフラグを残す制御を行って（ステップＳＴ１２）、測定を終了する。
【００７１】
このようにして、上記血圧情報測定装置によれば、カフ２０が手首に巻き付けられた装着状態で、カフ２０の圧力を圧力センサ３１で検出することによって血圧を測定できる。また、上記脈波センサ４１は、貫通穴２０ａから直接手首の脈波を検出するので、精度良く脈波を測定できる。また、貫通穴２０ａの寸法と脈波センサ４１の寸法とが略同じ大きさを有しているので、脈波センサ４１や流体袋２２が手首９０に接触しうる面積を必要最小限にできる。また、血圧を測定するときに流体袋２２が膨張して、脈波センサ４１と手首９０との間に空間ができるので、硬い材質で構成される脈波センサ４１が手首９０を圧迫することによる被験者の痛みや不快感を低減できる。また、上記装着状態で脈波センサ４１が手首９０に接触し続けて蒸れが生じることによる被験者の不快感を低減できる。さらにまた、帯状袋２１は布で構成されているので、布の吸湿効果や速乾効果によって上記装着状態で手首９０に生じる蒸れを低減して、被験者の不快感を低減できる。このように、この血圧情報測定装置によれば、血圧と脈波とを精度良く測定できるとともに、上記装着状態で被験者に痛みや不快感が生じるのを防止できる。
【００７２】
なお、上記実施形態では、上記流体袋２２は、貫通穴２０ａが設けられている領域を境にして、２つの流体袋２２，２２に分離させていたが、図８Ａ，８Ｂに示すように、流体袋を連続した１つの袋で構成しても良い。この例では、流体袋２２は、カフ２０の貫通穴２０ａに対応した位置に貫通穴２０ａの寸法よりも若干大きい寸法を持つ貫通穴２２ａを有している。
【００７３】
また、上記実施形態では、上記脈波センサ４１は、本体１０に取り付けられていたが、これに限られるものではない。図９に示すように、上記脈波センサ４１は、カフ２０の帯状袋２１に内包されるとともに流体袋２２と帯状袋２１の外布２１２との間に位置して、流体袋２２に取り付けられていてもよい。この場合、脈波センサ４１は、流体袋２２と外布２１２との間に位置するので、手首９０に直接接触することがなく、被験者に痛みや不快感が生じるのを低減できる。また、流体袋２２は、樹脂等の光透過性のある薄膜からなり、帯状袋２１は、内布２１１の脈波センサ４１に対応する位置に貫通穴２１１ａを有する。また、この場合、発光素子４１１から手首９０中の動脈に照射された光は、流体袋２２を透過するとともに貫通穴２１１ａを通過する。一方、動脈によって反射された反射光は、貫通穴２１１ａを通過し、流体袋２２を透過して、受光素子４１２によって受光される。したがって、脈波センサ４１は、流体袋２２および貫通穴２１１ａを介して精度良く被験者の脈波を測定できる。
【００７４】
また、図１０に示すように、上記脈波センサ４１は、カフ２０の帯状袋２１に内包されるとともに流体袋２２の内側に位置して、流体袋２２に取り付けられていてもよい。この場合も、脈波センサ４１は、流体袋２２の内側に位置するので、手首９０に直接接触することがなく、被験者に痛みや不快感が生じるのを低減できる。また、流体袋２２は、樹脂等の光透過性のある薄膜からなり、帯状袋２１は、内布２１１の脈波センサ４１に対応する位置に貫通穴２１１ａを有する。また、この場合も、発光素子４１１から手首９０中の動脈に照射された光は、流体袋２２を透過するとともに貫通穴２１１ａを通過する。一方、動脈によって反射された反射光は、貫通穴２１１ａを通過し、流体袋２２を透過して、受光素子４１２によって受光される。したがって、脈波センサ４１は、流体袋２２および貫通穴２１１ａを介して精度良く被験者の脈波を測定できる。
【００７５】
さらにまた、図１１に示すように、上記脈波センサ４１は、貫通穴２０ａを通って脈波センサ４１を手首９０に付勢する付勢部材としてのバネ１１を介して本体１０に取り付けられていてもよい。この場合、脈波センサ４１は、バネ１１によって手首９０に付勢されるので、手首９０に確実に接触できて、精度良く被験者の脈波を測定できる。
【００７６】
また、上記実施形態では、上記血圧情報測定装置を手首に装着するとしたが、上腕や足首、指など、人体のどこに装着してもよい。
【００７７】
また、上記実施形態では、上記カフ２０は、円形の貫通穴２０ａを有していたが、例えば、カフの一部をＵ字状に切り欠いて、その切り欠き部分を介して、脈波センサが手首に対して露出してもよい。
【００７８】
また、上記実施形態では、一般的なオシロメトリック法に従って血圧を測定したが、容積補償法等の他の方法に従って血圧を測定してもよい。
【符号の説明】
【００７９】
１０  本体
１１  バネ
２０  カフ
２１  帯状袋
２１１  内布
２１２  外布
２２  流体袋
４１  脈波センサ
４１１  発光素子
４１２  受光素子
２０ａ，２２ａ，２１１ａ  貫通穴
【図１】
0003175948.tif 000003
【図２Ａ】
0003175948.tif 000004
【図２Ｂ】
0003175948.tif 000005
【図３】
0003175948.tif 000006
【図４】
0003175948.tif 000007
【図５】
0003175948.tif 000008
【図６】
0003175948.tif 000009
【図７Ａ】
0003175948.tif 000010
【図７Ｂ】
0003175948.tif 000011
【図７Ｃ】
0003175948.tif 000012
【図８Ａ】
0003175948.tif 000013
【図８Ｂ】
0003175948.tif 000014
【図９】
0003175948.tif 000015
【図１０】
0003175948.tif 000016
【図１１】
0003175948.tif 000017